(57)【要約】本発明は、画像化の技術分野にある。本発明は、写真分野に用いられる適用に関係する。本発明は、ハイブリッド写真術の分野、即ち、アナログ及びデジタル画像データに基づいた分野に適用される処理に特に関係する。本発明の方法は、画像を表すアナログ写真サポート（１０）の識別子（１４）から端末（１）の画面（２）上に画像を表示することを可能にする。本発明の方法は、端末のユーザに、写真サポートのサムネイル（１１）に対応する１つ以上のデジタル画像（２２）を実質的にリアルタイムで表示することを可能にするプログラムの命令を実行する。本発明は、主に、デジタル画像を表示可能な携帯可能な端末を有する写真家によって使用される。
2005522917.tif 000002
【特許請求の範囲】
【請求項１】
キーボード（３）及びディスプレイ画面（２）が具備される端末（１）上にデジタル画像（２２）を表示することを可能にする方法であって、
ａ）前記端末の前記キーボードから、サムネイル（１１）を含む写真サポート（１０）の少なくとも１つの識別子を含む電子メッセージを作成する段階と、
ｂ）前記端末から、前記段階ａ）において作成した前記電子メッセージを、一意の電話番号によって識別されるメッセージングサーバ（１６）に送信する段階と、
ｃ）前記電子メッセージを、処理サーバ（５）に自動的に伝送する段階と、
ｄ）前記識別された写真サポートの前記サムネイルに対応し、前記電子メッセージに含まれる一組のデジタル画像を選択するために、前記送信された電子メッセージを、前記処理サーバによって自動的に処理する段階と、
ｅ）前記一組の選択されたデジタル画像の入手可能性の通知を、前記端末に自動的に伝送する段階と、
ｆ）前記選択されたデジタル画像の入手可能性の前記通知を、前記端末の前記画面上で自動的に表示する段階と、
ｇ）前記入手可能なデジタル画像に対する表示要求を、前記端末によって有効化する段階と、
ｈ）前記入手可能なデジタル画像を、前記端末に自動的に伝送する段階と、
ｉ）前記デジタル画像を、前記端末の前記画面上に自動的に表示する段階と、
を含むことを特徴とする方法。
【請求項２】
請求項１の段階ｂ）の間に、更に自動請求が行われ、請求される額の値は、請求項１の段階ａ）において作成した前記電子メッセージのコンテンツと相関関係にあることを特徴とする請求項１記載の方法。
【請求項３】
前記表示要求は、前記端末の前記キーボードによって、入手可能性の前記通知中に記載されるユニバーサル・リソース・ロケーション（ＵＲＬ）を作動させることにあることを特徴とする請求項１又は２記載の方法。
【請求項４】
写真サポートの前記サムネイルに固有の全識別子（１２）の前記画面上での表示から、前記一組の少なくとも１つの識別子の選択を可能にし、また、行われた識別子選択の有効化を可能にし、それにより、前記端末の前記画面上に、前記選択された識別子に対応する前記デジタル画像を表示することを特徴とする請求項１乃至３のうちいずれか一項記載の方法。
【請求項５】
複数のデジタル画像が前記端末に伝送される場合、前記デジタル画像は、表示シーケンスにおいて連続的に自動的に表示され、
前記表示シーケンスの表示間隔はプログラム可能であることを特徴とする請求項１乃至４のうちいずれか一項記載の方法。
【請求項６】
複数のデジタル画像が前記端末に伝送される場合、前記デジタル画像は、前記端末の前記キーボードから手動で行われる要求に応じて連続的に表示されることを特徴とする請求項１乃至４のうちいずれか一項記載の方法。
【請求項７】
前記写真サポートは、前記写真サポートの１つの領域（１４）に位置付けられる識別子を含むことを特徴とする請求項１乃至６のうちいずれか一項記載の方法。
【請求項８】
前記写真サポートは、印画紙から構成される写真インデックスであることを特徴とする請求項１乃至７のうちいずれか一項記載の方法。
【請求項９】
前記写真サポートは、写真フィルムストリップであることを特徴とする請求項１乃至７のうちいずれか一項記載の方法。
【請求項１０】
前記写真サポートの前記識別子は、前記写真サポートとは異なる材料サポート上に置かれることを特徴とする請求項１記載の方法。
【請求項１１】
前記端末は、携帯可能な端末であることを特徴とする請求項１乃至１０のうちいずれか一項記載の方法。
【請求項１２】
前記携帯可能な端末は、携帯電話機であることを特徴とする請求項１１記載の方法。
【発明の詳細な説明】
【発明の詳細な説明】
【０００１】
本発明は、画像化の技術分野にある。本発明は、写真分野、より具体的には、ハイブリッド写真術、即ち、アナログ及びデジタル画像データに基づいた写真術の分野に使用される適用に関連する。
【０００２】
写真分野では、画像の通信は、画像の表示を可能にするデジタル装置の増加する使用を特に考慮に入れて、迅速且つ容易にできなければならない。デジタル装置は、必ずしもデジタルカメラ等である必要はない。このようなデジタル装置は、カメラであろうと無かろうと、例えば、携帯可能な端末といったようにディスプレイ画面が具備される端末である。今日において、携帯可能な端末は、例えば、ＰＭＳ（ピクチャ・メッセージング・サービス）又はＭＭＳ（マルチメディア・メッセージング・サービス）タイプのメッセージングシステムを使用するためにインターネットのようなネットワークに容易に接続する。この接続は、任意の場所にいるユーザに、例えば、携帯可能な端末上において、実質的にリアルタイムで、デジタル画像を受信し且つ表示することを可能にする。これらのデジタル装置の使用と平行して、例えば、写真である画像が、記録され、次に、銀ベースの写真サポート上への現像後に複製されることが可能である。この銀ベースの画像サポートは、例えば、カラー印画紙を含む。銀ベースの画像サポートからのデータに基づいて、これらの画像をユーザの携帯可能端末の画面上に素早く表示することができることは、ユーザにとって興味深い。このことは、画像を見るということと、見た後に画像を別の携帯可能端末のユーザに送信可能であるという２つの目的を有する。
【０００３】
本発明は、ディスプレイ画面が具備される端末のユーザに、例えば、写真用フィルム又は印画紙のタイプの類似の写真サポート上にプリントされた前に現像された画像を見ることを可能にする容易且つ迅速なアプリケーションを、インタラクティブに実施する目的を有する方法に関する。
【０００４】
本発明の方法は、キーボード及びディスプレイ画面が具備される端末上にデジタル画像を表示することを可能にする方法であって、以下の段階を有することを特徴とする。本発明の方法は、
ａ）端末のキーボードから、サムネイルを含む写真サポートの少なくとも１つの識別子を含む電子メッセージを作成する段階と、
ｂ）端末から、段階ａ）において作成した電子メッセージを、一意の電話番号によって識別されるメッセージングサーバに送信する段階と、
ｃ）電子メッセージを、処理サーバに自動的に伝送する段階と、
ｄ）識別された写真サポートのサムネイルに対応し、電子メッセージに含まれる一組のデジタル画像を選択するために、送信された電子メッセージを、処理サーバによって自動的に処理する段階と、
ｅ）一組の選択されたデジタル画像の入手可能性の通知を、端末に自動的に伝送する段階と、
ｆ）選択されたデジタル画像の入手可能性の通知を、端末の画面上で自動的に表示する段階と、
ｇ）入手可能なデジタル画像に対する表示要求を、端末によって有効化する段階と、
ｈ）入手可能なデジタル画像を、端末に自動的に伝送する段階と、
ｉ）デジタル画像を、端末の画面上に自動的に表示する段階と、
を含むことを特徴とする。
【０００５】
他の特徴は、様々な図面を参照しながら、以下の説明を読むことにより明らかとなろう。
【０００６】
以下の説明は、図面を参照しながらの本発明の主な実施例の詳細な説明である。図面において、同じ参照符号は、各図面における同じ構成要素を示す。
【０００７】
本発明は、図１に概略的に示すハードウェア環境において実施される。携帯可能であることが好適である端末１には、キーボード３及びディスプレイ画面２が具備される。この端末は、例えば、携帯電話機である。画像サーバ６は、リンク９によって、例えば、インターネットであるネットワークとの通信のためのホストサーバ５と通信する。ホストサーバ５は、リンク８によって、ゲートウェイ４を介して、更にリンク１７によって、メッセージングサーバ１６と通信する。メッセージングサーバ１６は、例えば、ＳＭＳ（ショート・メッセージ・サービス）又はＭＭＳ（マルチメディア・メッセージ・サービス）タイプの電子メッセージングサーバである。メッセージングサーバ１６は、ボイスサーバである場合もある。ゲートウェイ４は、リンク７によって、端末１と通信するためのものである。ゲートウェイ４は、ＷＡＰ（ワイヤレス・アプリケーション・プロトコル）タイプであり、即ち、ゲートウェイ４と端末１との間のリンク７は、ワイヤレスリンクである。端末１とゲートウェイ４間の通信、並びに、ワイヤレスリンク１８による端末１とメッセージングサーバ１６間の通信は、例えば、ＧＳＭ（グローバル・システム・フォー・モバイル）、ＧＰＲＳ（ジェネラル・パケット・ラジオ・システム）、又はＵＭＴＳ（ユニバーサル・モバイル・テレコム・システム）ネットワークを介して動作される。画像サーバ６は、例えば、画像データベースを含む。この画像データベースは、例えば、写真現像室からのデジタル画像の受信及び格納を可能にする。写真現像室は、例えば、顧客の要求によって、顧客によって与えられた１つ以上の銀ベースのフィルムストリップを現像することによって、印画紙への作業命令を処理している。フィルムストリップは、好適な機器、即ち、動画又はスチールカメラを用いて最初に顧客によって前に記録された潜像を含む。写真作業命令の一部として、現像室は、最初に記録された銀ベースの画像を、例えば、銀ベースの写真サポート上に現像することによって処理し、次に、そのオリジナルの画像をデジタル化し、デジタル化されたオリジナル画像を画像サーバ６の画像データベース内に送り込む。
【０００８】
図２によると、顧客も、その画像の写真サポート１０を有する。図２によって示す写真サポート１０は、例えば、印画紙から構成されるサポートである。この場合、サポート１０は、写真インデックスと称する。顧客は、写真作業命令を出す際に、現像室からこの写真インデックス１０を要求する。写真インデックス１０は、顧客が写真作品を受け取るときに、顧客に与えられる。写真インデックス１０は、複数のサムネイル１１（小さい画像）を含む。写真インデックス１０上でまとめられる複数のサムネイル１１は、顧客によってもともと記録された全ての画像を表し、現像室によって処理された作業命令に対応する。記録された画像の数が大きい場合、幾つかのサムネイル１１の写真インデックス１０があり得る。写真インデックス１０は、例えば、２６個のサムネイル１１を含む。これらのサムネイル１１は、例えば、以前に記録された一組のデジタル又はハロゲン化銀の画像の結果である。各サムネイル１１は、例えば、英数字の識別子１２が割当てられる。この識別子１２は、一般的に、画像の記録の時系列に対応する。写真インデックス１０上に２６個のサムネイル１１があった場合、写真インデックス１０の左上に位置付けられる第１のサムネイル１１には、例えば、識別子「０Ａ」が割当てられ、写真インデックスの下に位置付けられる最後のサムネイル１１は、例えば、識別子「２５」が割当てられる。写真インデックス１０は更に、例えば、写真インデックス１０の右上に位置付けられる領域１５も含む。この領域１５は、インデックス１０の追跡可能性のためにある。この領域１５は、写真作業の実行日と、追跡可能性領域１５の部分を表す特定領域１４を含む。領域１４は、写真インデックス１０の識別子を含む。この識別子１４は、その写真インデックスに一意であり且つ固有である。この識別子は、デジタル（識別番号）又は英数字形式でエンコードされる。この写真インデックスの識別子は、例えば、「６６７７４６」である。
【０００９】
図面には示さない本発明の別の実施例において、写真サポートの第１の変形は、例えば、記録された潜像を含む写真用フィルムストリップの識別子を有する領域１４を、そのフィルムストリップ上に置くことにある。この場合、フィルムストリップ上に記録された潜像が、サムネイル１１に対応する。第２の変形は、例えば、写真インデックス又は写真用フィルムストリップとは異なる他の材料サポート上に識別子１４を記載することにある。この別個の材料サポートは、例えば、画像の処理を提供する写真現像室によって与えられるロイヤリティカードである。この第２の変形は、例えば、写真インデックスをほしくない場合に用いられる。
【００１０】
本発明の方法は、ユーザに、端末１から、写真インデックス１０のサムネイル１１に対応する１つ以上の画像を表示することを可能にさせるプログラムの命令を動作する。顧客のニーズは、例えば、端末１から、良好なビューイング条件にあるデジタル画像２２を、別の人に素早く提示することができるという事実に関連する。デジタル画像２２は、端末１の画面２上で表示されるか、又は、デジタル画像は、端末１上に一旦取出しされると、例えば、メッセージが添付されて、別の人の電子アドレスに電子的に転送される。表示は、顧客が最初に端末１上で自動通知を受信する瞬間から動作することが可能である。自動通知は、例えば、ＳＭＳ（ショート・メッセージ・サービス）タイプメッセージ形式であることが可能である。このメッセージは、端末１の顧客ユーザに、その顧客ユーザの写真が入手可能であることを知らせる。メッセージは、例えば、「お客様の写真をご覧になるためには、写真インデックスの上にある識別子番号を与えて７７７７−７７にＳＭＳを送信ください。」なるタイプの定式文を含む。
【００１１】
本発明の主な実施例によると、顧客は、携帯端末１のキーボード３から、ＳＭＳタイプの電子メッセージを作成することによって最初の要求の発注を開始する。電子メッセージには、少なくとも１つの現像されたサムネイル１１を含む１つ以上のプリントされた写真インデックス１０にそれぞれ対応するか、又は、それぞれ少なくとも１つのサムネイル１１（潜像）を含む１つ又は幾つかの写真用フィルムストリップに対応する１つ以上の識別子からなる。顧客は次に、作成したメッセージを、一意のＳＭＳ電話番号に送信する。この電話番号は、例えば、キーボード３から入力されるか、又は、端末１のメモリの中から直接取出しされる。メッセージは、一度作成されると、例えば、処理されるようホストサーバ５に自動的に送信される。本発明の方法のソフトウェアは、ホストサーバ５に、写真インデックス１０のサムネイル１１のデジタル化、又は、写真ストリップのサムネイル１１のデジタル化に対応する一組のデジタル画像を自動的に選択することによって、送信されたメッセージを自動的に処理する。選択が行われると、選択されたデジタル画像の組は、要求を行った端末１に送信されるよう利用可能となる。例えば、画像サーバ６の画像データベース内に保存されるデジタル画像の利用可能性の通知は、例えば、画面２上で提示される単純な電子メッセージとして端末１に自動的に送信される。１つの好適な実施例では、通知は、例えば、ユニバーサル・リソース・アドレス、又は、ＷＡＰ  ＵＲＬ（ユニフォーム・リソース・ロケータ）を含む。図１では、ＵＲＬは、例えば、画像サーバ６の画像データベースにおけるデジタル画像の自動取出しを可能にする。このアドレスは、端末１上での表示要求を有効にすることを可能にするリンクを与える。単純にこのリンク上をクリックして作動させることによって、自動伝送と、この最初の要求をした端末１の画面２上での一組の選択された画像に含まれる第１のデジタル画像２２の表示をもたらす表示要求を動作させる。
【００１２】
本発明の１つの特定な実施例において、端末１の画面２上でのデジタル画像２２の供給（表示）は、写真サポート１０の１つ（幾つか）の識別子を含むＳＭＳタイプの電子メッセージの送信と同時に行われる顧客への自動請求に従属する。本発明の方法は、例えば、ＳＭＳタイプ又は追加料金ＳＭＳタイプ（プレミアムタイプ）の請求モードを使用する。このようなタイプの請求モードを使用することによって、電子メッセージのコンテンツに固有の様々なパラメータに応じて請求される額の値を適応することが可能とする。これらのパラメータは、例えば、表示される画像２２の数（１２、２４、３６等）、現在の特化提供、又は他の特定のパラメータを考慮に入れる。
【００１３】
一般的に、写真インデックス１０が複数のサムネイル１１を含む場合に、複数の対応するデジタル画像２２の端末１への伝送は、その表示間隔はプログラム可能である表示シーケンスにおいて、画面２上にこれらのデジタル画像２２の自動連続表示を可能にする１つの実施例に応じて動作される。各画像２２は、例えば、１０秒間の間表示され続ける。この表示間隔は、端末１から変更することが可能である。別の実施例では、選択されたデジタル画像の組に属する第１のデジタル画像２２は、端末１のディスプレイ画面２上に自動的に表示され、この組に属する他の画像のそれぞれは、端末１のキーボード３から行われる手動の要求（例えば、単純なクリック）によって画面２上に表示される。
【００１４】
主な実施例の代替案によると、本発明の方法は、例えば、写真インデックスである写真サポート１０のサムネイル１１に固有の全識別子１２の画面２上での表示から、上述の組の少なくとも１つの識別子１２の選択を可能にし、本発明の方法は更に、このように行われた識別子１２の選択の有効化を可能にし、それにより、端末１の画面２上に、選択された識別子１２に対応するデジタル画像２２を表示する。従って、顧客は、写真インデックス１０のサムネイル１１から、端末１で受信し端末１上で表示することを希望するデジタル画像２２だけを選択することができる。
【００１５】
本発明は、好適な実施例を参照して説明したが、本発明の適用範囲は、本発明の目的に対応する全ての修正及び変形に及び、本発明の方法によって実施可能であることは明らかである。従って、このような実施例は例示的であり、請求する保護範囲を制限するものではない。
【図面の簡単な説明】
【００１６】
【図１】本発明の実施のためのハードウェア環境を示す概略図である。
【図２】写真サポートの一例を示す概略図である。
【図１】
2005522917.tif 000003
【図２】
2005522917.tif 000004
【国際調査報告】
2005522917.tif 000005
2005522917.tif 000006